(57)【要約】
【課題】  腰を屈めることなく簡易な操作でゴルフボールを拾うことができるゴルフクラブを提供する。
【解決手段】  シャフトの一端にヘッドを設け、他端にグリップを設けるゴルフクラブにおいて、
該ヘッドの底面外周縁部に円弧状面を形成し、該ヘッドの底面中央の位置に、側面が所定の角度で傾斜するボール支持溝を形成し、該ボール支持溝の幅をゴルフボールの直径よりやや広くするとともに、該ボール支持溝に軟質のゴム材によるパッドを嵌着する。
【選択図】  図３
0003101241.tif 000002
【実用新案登録請求の範囲】
【請求項１】
シャフトの一端にヘッドを設け、他端にグリップを設けるゴルフクラブにおいて、
該ヘッドの底面外周縁部に円弧状面を形成し、該ヘッドの底面中央の位置に、側面が所定の角度で傾斜するボール支持溝を形成し、該ボール支持溝の幅をゴルフボールの直径よりやや広くするとともに、該ボール支持溝に軟質のゴム材によるパッドを嵌着することを特徴とするゴルフクラブ。
【請求項２】
前記ヘッドには、該ボール支持溝に連通する複数の孔部を横方向に形成して、ヘッドの重量を調整できるように構成することを特徴とする請求項１に記載のゴルフクラブ。
【請求項３】
前記ボール支持溝の側面の角度が４度から１２度の間であって、好ましくは８度であることを特徴とする請求項１に記載のゴルフクラブ。
【考案の詳細な説明】
【技術分野】
【０００１】
この考案は、ゴルフクラブに関し、特にゴルフクラブのヘッドの改良構造に関する。
【背景技術】
【０００２】
従来のゴルフクラブは、所定の長さのシャフトの一端にゴルフボールを打つためのヘッドを設け、他端にグリップを設ける。係る構造のゴルフクラブは、使用者がゴルフを行うために供するが、但し実際にゴルフを行う場合、使用者がゴルフクラブを利用してゴルフボールを所定のホールに入れた後、一般には先に手袋を取り、腰を屈めてホール内のボールを手で取り出す。係る行為はホールからボールを取り出すことが不便であるのみならず、手で取り出すため、手が容易に汚れる。甚だしくは、複数回腰を屈めてボールを取り出す動作を行うことから、使用者の体力に対して負担をかけることになる。しかも、高齢者の場合、骨格に対する傷害が容易に発生する。係るゴルフクラブの欠点について改良が望まれている。
【考案の開示】
【考案が解決しようとする課題】
【０００３】
この考案は、ゴルフボールを拾う場合、腰を屈めることなく簡易な操作で容易にゴルフボールを拾うことのできるゴルフクラブを提供することを課題とする。
【課題を解決するための手段】
【０００４】
そこで、本考案者は従来の技術に見られる欠点に鑑み鋭意研究を重ねた結果、ゴルフクラブのヘッドの底面外周縁部に円弧状面を形成し、該ヘッドの底面中央の位置に、側面が所定の角度で傾斜するボール支持溝を形成し、該ボール支持溝の幅をゴルフボールの直径よりやや広くするとともに、該ボール支持溝に軟質のゴム材によるパッドを嵌着してなるゴルフクラブの構造によって課題を解決できる点に着眼し、かかる知見に基づいて本発明を完成させた。
【０００５】
以下、この考案について具体的に説明する。
請求項１に記載するゴルフクラブは、シャフトの一端にヘッドを設け、他端にグリップを設けるゴルフクラブであって、
該ヘッドの底面外周縁部に円弧状面を形成し、該ヘッドの底面中央の位置に、側面が所定の角度で傾斜するボール支持溝を形成し、該ボール支持溝の幅をゴルフボールの直径よりやや広くするとともに、該ボール支持溝に軟質のゴム材によるパッドを嵌着する。
【０００６】
請求項２に記載するゴルフクラブは、請求項１におけるヘッドに、該ボール支持溝に連通する複数の孔部を横方向に形成して、ヘッドの重量を調整できるように構成する。
【０００７】
請求項３に記載するゴルフクラブは、請求項１におけるボール支持溝の側面の角度が４度から１２度の間であって、好ましくは８度である。
【考案の効果】
【０００８】
本考案のゴルフクラブは、ゴルフボールを拾う場合、腰を屈めることなく簡易な操作で拾うことができ、実用的であるという利点がある。
【考案を実施するための最良の形態】
【０００９】
この考案は、ゴルフボールを拾うことが便利なゴルフクラブを提供するものであって、ゴルフクラブのヘッドの底面外周縁部に円弧状面を形成し、該ヘッドの底面中央の位置に、側面が所定の角度で傾斜するボール支持溝を形成し、該ボール支持溝の幅をゴルフボールの直径よりやや広くするとともに、該ボール支持溝に軟質のゴム材によるパッドを嵌着して、腰を屈めることなく容易にゴルフボールが拾えるという目的を、実現した。
係る構成のゴルフクラブについて、その構造と特徴を詳述するために具体的な実施例を挙げ、以下に説明する。
【実施例１】
【００１０】
この考案によるゴルフクラブを図１から３に開示する。図面によれば、シャフト（１０）の一端にゴルフボール（４０）を打つためのヘッド（２０）を設け、且つ該シャフト（１０）の他端にグリップ（図示しない）を設けてゴルフクラブを構成する。
【００１１】
ヘッド（２０）は、底面の外周縁部に円弧状面（２０１）を形成し、且つヘッド（２０）底面の中央の位置には側面が所定の角度で傾斜するボール支持溝（２１）を形成する。実施例において、ボール支持溝（２１）の側面の傾斜角度は４度から１２度とし、好ましくは８度にする。また、ボール支持溝（２１）の幅は、図３に開示するように、ゴルフボール（４０）の直径よりやや広くする。更に、ボール支持溝（２１）には、図１に開示するように、軟質のゴム材によるパッド（３０）を嵌着する。
【００１２】
また、図１に開示するように、ヘッド（２０）には該ボール支持溝（２１）に連通する複数の孔部（２２）を横方向に形成し、それぞれの孔部（２２）によってヘッド（２０）の重量を随時調整する。
【００１３】
以上の構造によるゴルフクラブ（１０）は、図３から５に開示するように、ヘッド（２０）でゴルフボール（４０）を打ってゴルフを行う場合、ヘッド（２０）の底面中央の位置に、側面が所定の角度で傾斜したボール支持溝（２１）が形成され、該ボール支持溝（２１）の幅がゴルフボール（４０）の直径よりやや広く、更にボール支持溝（２１）内に軟性のゴム材質によるパッド（３０）が嵌着される（図３参照）ため、ゴルフクラブ（１０）のヘッド（２０）の底面をゴルフボール（４０）に押し付けると、ボール支持溝（２１）内にゴルフボール（４０）が支持される。この場合、パッド（３０）が圧縮された状態になり、ゴルフボール（４０）を緊密に支持することができる。この状態において、図５に開示するように、ゴルフクラブ（１０）を転倒させ、ヘッド（２０）のボール支持溝（２１）を上方に向けると、使用者はゴルフボール（４０）をヘッド（２０）のボール支持溝（２１）から直接取り出すことができる。すなわち、ゴルフクラブ（１０）を利用して直接ゴルフボール（４０）を拾うことができ、腰を屈めてゴルフボール（４０）を拾う動作を行う必要がなくなる。従って、ゴルフボール（４０）を拾う動作が容易にでき、ボール拾いの効率を高めることができる。
【００１４】
また、図４に開示するように、ゴルフボール（４０）が所定のホール（５０）に入った場合、ヘッド（２０）の底面外周縁部に円弧状面（２０１）が形成されるため、ヘッド（２０）をホール（５０）内に容易に挿入することができ、ゴルフボール（４０）を拾う動作が便利になる。従って、腰を屈めて手でゴルフボール（４０）を拾うことなく、手袋を取る必要もなく、球を手で拾うことによって手が汚れることもない。
【００１５】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１６】
【図１】この考案によるゴルフクラブのヘッドの分解図である。
【図２】図１に開示するゴルフクラブのヘッドの断面図である。
【図３】図１に開示するゴルフクラブのヘッドで、ゴルフボールを支持した状態を表わす説明図である。
【図４】図１に開示するゴルフクラブのヘッドで、ゴルフボールを支持した他の状態を表わす説明図である。
【図５】図１に開示するゴルフクラブのヘッドから支持したゴルフボールを取り出す状態を表わす説明図である。
【符号の説明】
【００１７】
１０  シャフト
２０  ヘッド
２０１  円弧状面
２１  ボール支持溝
２２  孔部
３０  パッド
４０  ゴルフボール
５０  ホール
【図１】
0003101241.tif 000003
【図２】
0003101241.tif 000004
【図３】
0003101241.tif 000005
【図４】
0003101241.tif 000006
【図５】
0003101241.tif 000007